(57)【要約】【課題】従来のスクータ、オートバイなど車高の低い車両のテールランプなど車両用信号灯具においては点灯状態でも、車高の高い車両の運転席からの視認性が低く、行動パターンの予測が困難な場合を生じるという問題点を生じていた。【解決手段】本発明により、テールランプなど車両用信号灯具を１つの光源に対して焦点を有し、一方は水平方向に光を反射する放物系とした水平用反射鏡を略上半部に配し、他方は光を１５°〜７０°上方に反射する放物系とした上向用反射鏡を略下半部に配する車両用信号灯具とすることで、後続車が大型車である場合にも、上向用反射鏡が反射する光が高い位置にある後続車の運転席から確認できるものとなり、先行車の存在を確実に認識可能として、課題を解決するものである。【選択図】図１
2010027289.tif 000002
【特許請求の範囲】
【請求項１】
車体取付位置が比較的に低い位置となる車両用信号灯具において、光源に対する反射方向の光軸が車両に対して水平方向に向けられた水平用反射鏡と、それに対して、反射方向の光軸が１５°〜７０°上方に向けられた上向用反射鏡との少なくとも２つの反射鏡を備えることを特徴とする車両用信号灯具。
【請求項２】
前記上向用反射鏡は自由曲面反射鏡とされて、水平方向から１５°〜７０°上向きまでの中間の所望の範囲に光を反射するものとされていることを特徴とする請求項１記載の車両用信号灯具。
【請求項３】
前記反射鏡には少なくとも３面以上の反射鏡が設けられ、前記反射鏡の反射方向を水平に向けた水平用反射鏡と、１５°〜７０°上方に向けた上向用反射鏡以外は、両反射鏡間の反射角度を略等分に分割する方向に反射光を向けるものとされていることを特徴とする請求項１に記載の車両用信号灯具。
【発明の詳細な説明】
【技術分野】
【０００１】
本発明は、ターンシグナルランプ、テール／ストップランプ、ポジションランプランプなど、自車の行動を他車に告知するための設けられる信号用の車両用灯具の構成に係るものであり、特に車高の低い位置に、この種の信号用の車両用灯具が設けられる車両に適する構成に係るものである。
【背景技術】
【０００２】
従来の、この種の車両用信号灯具９０の構成としては、図４および図５に示すような構成のものがあり、先ず、図４に示すように、スモーク色などで形成されたカウル９１の上下面の二方と、ターンシグナル用の側方視界の部分を除いた側面部分を車体色などに塗装し、塗装部分を不透明化する。
【０００３】
このようにしたカウル９１の内部を、図５に示すようにベース部材９２により、テール領域とターン領域とに仕切り、テール領域にはテールバルブ９３とテール用の着色インナーレンズ９４と、クリアインナーレンズ９５とを取付け、ターン領域にはターンバルブ９７と着色インナーレンズ９８と、クリアインナーレンズ９５を取付ける。
【０００４】
このようにすることで、テールバルブ９３を点灯したときには、テール用の着色インナーレンズ９４で着色された色光が後方から観視されるものとなり、ターンバルブ９７を点灯したときには、ターン用の着色インナーレンズ９８で着色された色光が後方およびこのターンシグナルが設けられた側の側方から観視されるものとなる。このときにカウル９１がスモーク色とされているので、太陽光などによる疑似点灯の発生は防止される。
【特許文献１】実公昭６３−１３９１９２号公報
【発明の開示】
【発明が解決しようとする課題】
【０００５】
しかしながら、上記した従来の構成の車両用信号灯具９０の構成としては、特に二輪自動車など車高の低い車両に取付けられたときには、例えば、後続車両が接近している状態においては、上方に向かう光量が少なく、明確に前車の存在が確認できないという問題点を生じている。また、普通の高さの車両であっても、後続車が大型トラックなどであれば、同様な状態を生じる恐れがあり、この点が課題とされていた。
【課題を解決するための手段】
【０００６】
本発明は、前記した従来の課題を解決するための具体的手段として、車体取付位置が比較的に低い位置となる車両用信号灯具において、光源に対する反射方向の光軸が車両に対して水平方向に向けられた水平用反射鏡と、それに対して、反射方向の光軸が１５°〜７０°上方に向けられた上向用反射鏡との少なくとも２つの反射鏡を備えることを特徴とする車両用信号灯具を提供することで、二輪車自動車などの他の自動車の運転者に対して、低い位置にテールランプなどの信号用灯具が具備された車両においても明確な視認性の確保を容易とすることを可能とする。
【発明の効果】
【０００７】
本発明により、テールランプなどの信号用灯具が比較的に低い位置に設置されている、例えば、スクータ、オートバイなどの車両においても、本発明の構成により適宜の上向き光を発生するようにしたことで、後続車などからの存在の確認が容易となり、道路交通の潤滑化に優れた効果を奏するものとなる。
【発明を実施するための最良の形態】
【０００８】
つぎに、本発明を図に示す実施形態に基づいて詳細に説明する。図６に本発明に係る車両用信号灯具１の正面図を示す。構成としては、ボディーに反射鏡が組み込まれ、その上にアウターレンズが被さった形を取っている。車両進行方向と逆方向をｘ軸とし、ｘ軸に対して垂直に上向きの方向をｚ軸、ｘ軸に対して横向きの方向をｙ軸とした。図１は図６中のＩ−Ｉ線断面であり、本発明に係る車両用信号灯具１の構成原理を示すものであり、基本的には、反射鏡２として、一つの光源３に対して水平用反射鏡２ａと上向用反射鏡２ｂとの２面が用いられており、双方の反射鏡２ａ、２ｂは共に前記光源３を焦点とする回転放物面など放物面系として形成されている。
【０００９】
また、前記反射鏡２の開口部２ｃ、即ち、前記水平用反射鏡２ａと上向用反射鏡２ｂとが共有する開口部２ｃにはレンズ４が設けられ、必要に応じては、レンズカット４ａが施されるなどにより、車両用信号灯具１として適切な配光特性が与えられるものとされている。
【００１０】
ここで、本発明では、ｙ−ｚ平面に平行な仮想平面Ａを想定し、この仮想平面Ａを適宜に傾け、この仮想平面Ａは前記水平反射鏡２ａと上向用反射鏡２ｂとの２面の接続点と前記光源３の２点を通るとしている。
【００１１】
このときに、この実施形態においては、前記仮想平面Ａは前記光源３の位置を回転中心として、好ましくは、車両進行方向と逆方向のｘ軸に対して６０°上方に向かって傾けられている。ただし、水平反射光の規定拡散角度は±１５°のため、上方への最小光軸Ａは１５°で、後続車が認識可能な上方への最大光軸Ａは７０°が上限となる。
尚、光源３のランプは車両進行方向と水平なｘ軸方向に配置してよいが、好ましくは、前記接続点付近に給電ソケット用穴を穿ち、ｘ軸より上方斜めにランプを配置することで、車両用信号灯具の主な役割である水平反射鏡からの反射光を効率よく車両後方に照射することができる。
【００１２】
そして、本発明では、前記仮想平面Ａの上方に、前記光源３からの光を水平方向に向かい反射する水平用反射鏡２ａを設けるものであり、この水平用反射鏡２ａは、前記光源３を焦点として、光軸Ｘを水平とする、例えば回転放物面など放物面系の反射鏡で形成されている。
【００１３】
また、本発明では、前記仮想平面Ａから下方には、前記光源３からの光を、例えば、前方で且つ略６０°上方に向かい反射する光軸Ｂを有する上向用反射鏡２ｂとが設けられている。このときに、前記水平用反射鏡２ａと、前記上向用反射鏡２ｂとは、前記仮想平面Ａにおいて一体化されるものとなる。
【００１４】
このときには、前記水平用反射鏡２ａの焦点距離ｆ１と、前記上向用反射鏡２ｂの焦点距離ｆ２とを適宜に調整することで、それぞれの反射鏡２ａ、２ｂの反射面積も適正化し、この車両用信号灯具１の主照射方向である水平方向を照射する光量と、上方を照射する光量との配分を適正化するものとする。
【００１５】
また同時に、上記したように、前記水平用反射鏡２ａの焦点距離ｆ１と、前記上向用反射鏡２ｂの焦点距離ｆ２とを調整することで、前記仮想平面Ａにおいて、可能な限りに段差などを生じないようにスムーズに前記水平用反射鏡２ａと前記上向用反射鏡２ｂとが接続されるように調整を行う。尚、このときに、前記仮想平面Ａの傾きなども、本発明の車両用信号灯具１の目的を外れない範囲で調整することも可能である。
【００１６】
更に言えば、本発明は水平用反射鏡２ａと上向用反射鏡２ｂとの、二つの曲面が交差する状態で合成されるものであるので、例えば、通常の回転放物面に比べて、開口部側が狭くなり、例えば上向用反射鏡２ｂの設定によっては、この反射鏡２を形成するための金型がアンダーカットの状態となる可能性も大きくなる。
【００１７】
よって、発明者は後方と上方とに光を放射するために、前記水平用反射鏡２ａと上向用反射鏡２ｂとの設けられる仮想平面Ａの交差角を約６０°と設定したものであり、例えば、９０°近傍とすれば、上向用反射鏡２ｂからの反射光は、上方向に反射が行われ、後続車の視認に対する効果が低減するばかりでなく、アウターレンズ４近傍で金型にアンダーカットを生じやすくなり、それにより金型にスライド型の採用など構成と生産とが煩雑化する。
【００１８】
以上のように対処したことで、本発明では、ほぼ、前記仮想平面Ａと平行な方向、すなわち、ｘ軸方向より上方に金型の抜き方向を移動させることで反射鏡２は形成可能となっており、一般的な回転放物面とした反射鏡に比較して、生産性などで不利となることは生じない。また、製品として出来上がった状態においても、一般的な回転放物面の反射面の反射鏡と、ほぼ、同一形状であり、観者に違和感を生じさせることもない。
【００１９】
図２に示すものは、本発明の第二実施例であり、上記した上向用反射鏡２ｂにより発生させられる上向き光は、後続する車両の運転席の形態、或いは、車間距離の相違などにより、可能な限りに広い範囲に放射されている方が、約６０°の一方向に放射されているよりも後続車からの視認性が向上すると考えられる。
【００２０】
そこで、この第二実施例では、前記上向用反射鏡２ｂを、図２に示すようにそれぞれが反射方向の異なる、複数の小反射鏡の組合せとして構成するものであり、この第二実施例では、小反射鏡２ｂ１、小反射鏡２ｂ２、小反射鏡２ｂ３、小反射鏡２ｂ４の四面で形成した例で示してある。
【００２１】
そして、前記小反射鏡２ｂ１は、光源３からの光を約１５°上向きとして反射し、前記小反射鏡２ｂ２は、光源３からの光を約３０°上向きとして反射し、前記小反射鏡２ｂ３は約４５°上向きとし、前記小反射鏡２ｂ４は約６０°上向きとして、それぞれが反射する。
尚、光源３のランプは車両進行方向と水平なｘ軸方向に配置してよいが、好ましくは、前記接続点付近に給電ソケット用穴を穿ち、ｘ軸より上方斜めにランプを配置することで、車両用信号灯具の主な役割である水平反射鏡からの反射光を効率よく車両後方に照射することができる。
【００２２】
尚、上記説明は前記上向用反射鏡２ｂの第二実施例における機能を明確にするために行ったものであり、実際に生産する際には図３に示すように、前記小反射鏡２ｂ１に相当する位置では約１５°上向き、小反射鏡２ｂ２に相当する位置では約３０°上向き、小反射鏡２ｂ３に相当する位置では約４５°上向き、小反射鏡２ｂ４に相当する位置では約６０°などのように、上向きに光源３からの光を反射するように、曲率を変化させただけでも良いものである。
尚、光源３のランプは車両進行方向と水平なｘ軸方向に配置してよいが、好ましくは、前記接続点付近に給電ソケット用穴を穿ち、ｘ軸より上方斜めにランプを配置することで、車両用信号灯具の主な役割である水平反射鏡からの反射光を効率よく車両後方に照射することができる。
【００２３】
尚、この場合においても、反射鏡２全体としての形状は、前記仮想平面Ａと平行な方向、すなわち、ｘ軸方向より上方に金型の抜き方向を移動させることで反射鏡２は形成可能とする形状としてあることが好ましいものであることは、成形性の向上の面からも、金型形成上の簡素化の面からも好都合であり、これは、第一実施例、第二実施例で説明したのと同様である。また、この場合には前記上向用反射鏡２ｂは放物面系とは成らず、いわゆる自由曲面と称されている曲面となる。
【００２４】
以上のように構成することで、上向用反射鏡２ｂとしては、構成を工夫することなどによって理論的には、略水平方向から略上方の直角方向まで光を射出させることが可能である。しかしながら、発明者の実際の交通状況に対する検討結果では、前記上向用反射鏡２ｂの受け持つ範囲は、水平から約６０°上向きの方向までで充分であることが確認された。
【００２５】
以上に説明したように、本発明により、二輪自動車など車高の低い車両の車両用信号灯具１に、水平用反射鏡２ａと上向用反射鏡２ｂとを設け、水平から適宜の上向きまでの範囲までに光を放射するものとしたことで、車高の高い車両の運転席からでも、車高の低い先行車の車両用信号灯具１の点灯状態が確実に確認できるものとなり、動作の予測が容易となる。
【００２６】
尚、上記にも説明したが、前記水平用反射鏡２ａと上向用反射鏡２ｂとの面積などは最適化され、前記水平用反射鏡２ａは後続車に対する信号として充分な光量を確保してあり、また、上向用反射鏡２ｂは、後続車の運転者に眩惑を感じさせない程度の光量とされているので、実際の市中における使用上にも支障を来すことはない。
【００２７】
また、アウターレンズ４および反射鏡２（水平用反射鏡２ａ、上向用反射鏡２ｂ）においては、前記アウターレンズ４側に車両用信号灯具１としても配光特性を形成するレンズカット４ａが設けられたものであっても良く、或いは、前記水平用反射鏡２ａ側で水平光用の配光特性を形成し、前記上向用反射鏡２ｂ側で上向光用の配光特性を形成するものとしても良く、或いは、アウターレンズ４および反射鏡２の双方で適正な配光特性を形成するものとしても良い。
【図面の簡単な説明】
【００２８】
【図１】本発明に係る車両用信号灯具の第一実施例を示す断面図である。
【図２】同じく本発明に係る車両用信号灯具の第二実施例を示す断面図である。
【図３】同じく本発明に係る車両用信号灯具の第三実施例を示す断面図である。
【図４】従来例を示す縦断面図である。
【図５】図４のＡ−Ａ線に沿う断面図である。
【図６】本発明に係る車両用信号灯具の正面図である。
【符号の説明】
【００２９】
１…車両用信号灯具
２…反射鏡
２ａ…水平用反射鏡
２ｂ…上向用反射鏡
２ｂ１〜２ｂ４…小反射鏡
３…光源
４…アウターレンズ
４ａ…レンズカット
【図１】
2010027289.tif 000003
【図２】
2010027289.tif 000004
【図３】
2010027289.tif 000005
【図４】
2010027289.tif 000006
【図５】
2010027289.tif 000007
【図６】
2010027289.tif 000008